(57)【特許請求の範囲】
【請求項１】
（ａ）発光素子アレイが搭載された基板と、
（ｂ）前記発光素子アレイから放射される光を収束させる収束レンズと、
（ｃ）前記基板及び収束レンズを支持する支持部材と、
（ｄ）前記基板を前記支持部材に形成された基板当接面に押し付けるためのベースとを有するとともに、
（ｅ）該ベースは、ベースの本体とスリットを介して接続された可撓部を備え、該可撓部に形成された第１の係止部と、前記支持部材の内壁に形成された第２の係止部とを係止させることによって支持部材に対して組み付けられ、
（ｆ）前記第１の係止部は、前記ベースの縁部に形成された突起部であり、
（ｇ）前記第２の係止部は、前記支持部材の内壁における前記突起部と対応する位置に形成された溝であり、
（ｈ）前記第１、第２の係止部は、前記可撓部を撓ませることによって係止させられ、
（ｉ）前記可撓部の厚さは、前記ベースの本体の厚さより小さくされることを特徴とする露光装置。
【請求項２】
前記突起部は、下方に押し下げられた状態で前記溝と係止させられる請求項１に記載の露光装置。
【請求項３】
前記第１の係止部は、前記ベースの幅方向外方に向けて突出させて形成される請求項１に記載の露光装置。
【請求項４】
前記可撓部の下端部に、可撓部に沿って切欠が形成される請求項１に記載の露光装置。
【請求項５】
前記ベースを支持部材に対して組み付けた状態において、前記ベースの上面より収束レンズ側の位置で前記第１、第２の係止部が係止させられる請求項１に記載の露光装置。
【請求項６】
前記溝は、ベースの厚さ方向において前記突起部より大きくされる請求項１に記載の露光装置。
【請求項７】
前記第１の係止部は前記ベースに、前記第２の係止部は前記保持部材に、それぞれ対応させて同じ数だけ形成される請求項１に記載の露光装置。
【請求項８】
前記請求項１〜７のいずれか１項に記載の露光装置が搭載された画像形成装置。
【発明の詳細な説明】
【技術分野】
【０００１】
本発明は、露光装置及び画像形成装置に関するものである。
【背景技術】
【０００２】
従来、プリンタ、複写機、ファクシミリ装置、複合機等の画像形成装置、例えば、プリンタにおいては、感光体ドラムの表面が、帯電ローラによって帯電させられ、露光装置としてのＬＥＤ（Ｌｉｇｈｔ  Ｅｍｉｔｔｉｎｇ  Ｄｉｏｄｅ）ヘッドによって露光されて静電潜像が形成され、該静電潜像に現像ローラ上で薄層化されたトナーが静電的に付着させられてトナー像が形成され、該トナー像が転写ローラによって記録媒体上に転写されて画像が形成されるようになっている。また、転写後に前記感光体ドラム上に残留したトナーは、クリーニング装置によって除去される。
【０００３】
図２は従来のＬＥＤヘッドの斜視図、図３は従来のＬＥＤヘッドの配設状態を示す断面図である。
【０００４】
図において、１３は感光体ドラム、３２は収束性を有するロッドレンズアレイ、３３は基板、３１は該基板３３上に一列に並べて搭載された複数個のＬＥＤアレイチップである。該各ＬＥＤアレイチップ３１から放射された光が前記ロッドレンズアレイ３２を通過して収束させられ、結像位置に配設された前記感光体ドラム１３を露光することによって静電潜像が形成される。
【０００５】
前記基板３３を支持部材としてのレンズアレイホルダ３４に組み付けるに当たり、前記基板３３を、ロッドレンズアレイ３２が取り付けられたレンズアレイホルダ３４に内に挿入し、該レンズアレイホルダ３４に形成された基板当接面Ｓ１上に前記基板３３の両縁を当て、金属によって形成されたベース５０を基板３３の上に重ね、複数のクランプ３８によってベース５０を介して基板３３を前記基板当接面Ｓ１に押し付けるようにしている（例えば、特許文献１参照。）。
【特許文献１】特開平７−１１５５１１号公報
【発明の開示】
【発明が解決しようとする課題】
【０００６】
しかしながら、前記従来のＬＥＤヘッドにおいては、前記各クランプ３８がレンズアレイホルダ３４の外側に突出するので、ＬＥＤヘッドが大型化してしまう。また、ベース５０を介して基板３３を前記基板当接面Ｓ１に押し付ける必要があるので、基板３３をレンズアレイホルダ３４に組み付ける作業が煩雑になってしまう。
【０００７】
本発明は、前記従来のプリンタの問題点を解決して、小型化することができ、基板を支持部材に組み付ける作業を簡素化することができる露光装置及び画像形成装置を提供することを目的とする。
【課題を解決するための手段】
【０００８】
そのために、本発明の露光装置においては、発光素子アレイが搭載された基板と、前記発光素子アレイから放射される光を収束させる収束レンズと、前記基板及び収束レンズを支持する支持部材と、前記基板を前記支持部材に形成された基板当接面に押し付けるためのベースとを有する。
【０００９】
そして、該ベースは、ベースの本体とスリットを介して接続された可撓部を備え、該可撓部に形成された第１の係止部と、前記支持部材の内壁に形成された第２の係止部とを係止させることによって支持部材に対して組み付けられる。
また、前記第１の係止部は、前記ベースの縁部に形成された突起部である。
そして、前記第２の係止部は、前記支持部材の内壁における前記突起部と対応する位置に形成された溝である。
また、前記第１、第２の係止部は、前記可撓部を撓ませることによって係止させられる。
そして、前記可撓部の厚さは、前記ベースの本体の厚さより小さくされる。
【発明の効果】
【００１０】
本発明によれば、露光装置においては、発光素子アレイが搭載された基板と、前記発光素子アレイから放射される光を収束させる収束レンズと、前記基板及び収束レンズを支持する支持部材と、前記基板を前記支持部材に形成された基板当接面に押し付けるためのベースとを有する。
【００１１】
そして、該ベースは、ベースの本体とスリットを介して接続された可撓部を備え、該可撓部に形成された第１の係止部と、前記支持部材の内壁に形成された第２の係止部とを係止させることによって支持部材に対して組み付けられる。
また、前記第１の係止部は、前記ベースの縁部に形成された突起部である。
そして、前記第２の係止部は、前記支持部材の内壁における前記突起部と対応する位置に形成された溝である。
また、前記第１、第２の係止部は、前記可撓部を撓ませることによって係止させられる。
そして、前記可撓部の厚さは、前記ベースの本体の厚さより小さくされる。
【００１２】
この場合、ベースは、可撓部に形成された第１の係止部と、前記支持部材の内壁に形成された第２の係止部とを係止させることによって支持部材に対して組み付けられるので、クランプを使用する必要がない。したがって、クランプがレンズアレイホルダの外側面より突出しないので、露光装置を小型化することができる。
【００１３】
また、ベースによって基板を直接基板当接面に押し付けることができるので、基板を支持部材に組み付ける作業を簡素化することができる。
【発明を実施するための最良の形態】
【００１４】
以下、本発明の実施の形態について図面を参照しながら詳細に説明する。この場合、画像形成装置としてのプリンタについて説明する。
【００１５】
図４は本発明の第１の実施の形態におけるプリンタの概略図である。
【００１６】
図に示されるように、プリンタ１１には、四つの独立した画像形成部を構成する画像形成ユニット１２Ｂｋ、１２Ｙ、１２Ｍ、１２Ｃが媒体としての用紙の挿入側から排出側にかけて配設され、各画像形成ユニット１２Ｂｋ、１２Ｙ、１２Ｍ、１２Ｃは、ブラック、イエロー、マゼンタ及びシアンの各色の画像を形成する。なお、前記媒体として、用紙のほかに、ＯＨＰ用紙、封筒、複写紙、特殊紙等を使用することができる。
【００１７】
前記各画像形成ユニット１２Ｂｋ、１２Ｙ、１２Ｍ、１２Ｃは、像担持体としての感光体ドラム１３Ｂｋ、１３Ｙ、１３Ｍ、１３Ｃ、該各感光体ドラム１３Ｂｋ、１３Ｙ、１３Ｍ、１３Ｃの表面を一様に帯電させる帯電装置としての帯電ローラ１４Ｂｋ、１４Ｙ、１４Ｍ、１４Ｃ、前記各感光体ドラム１３Ｂｋ、１３Ｙ、１３Ｍ、１３Ｃの表面に形成された静電潜像に現像剤としての図示されないトナーを付着させ、可視像である各色のトナー像を形成する現像剤担持体としての現像ローラ１６Ｂｋ、１６Ｙ、１６Ｍ、１６Ｃ等を有する。また、該各現像ローラ１６Ｂｋ、１６Ｙ、１６Ｍ、１６Ｃに圧接させて現像剤供給部材としてのトナー供給ローラ１８Ｂｋ、１８Ｙ、１８Ｍ、１８Ｃが配設され、該各トナー供給ローラ１８Ｂｋ、１８Ｙ、１８Ｍ、１８Ｃは、トナーカートリッジ２０Ｂｋ、２０Ｙ、２０Ｍ、２０Ｃから供給されたトナーを前記現像ローラ１６Ｂｋ、１６Ｙ、１６Ｍ、１６Ｃに供給する。そして、該現像ローラ１６Ｂｋ、１６Ｙ、１６Ｍ、１６Ｃに現像ブレード１９Ｂｋ、１９Ｙ、１９Ｍ、１９Ｃが圧接させられ、該現像ブレード１９Ｂｋ、１９Ｙ、１９Ｍ、１９Ｃは、現像ローラ１６Ｂｋ、１６Ｙ、１６Ｍ、１６Ｃ上において、前記トナー供給ローラ１８Ｂｋ、１８Ｙ、１８Ｍ、１８Ｃから供給されたトナーを薄層化する。
【００１８】
また、前記画像形成ユニット１２Ｂｋ、１２Ｙ、１２Ｍ、１２Ｃにおける感光体ドラム１３Ｂｋ、１３Ｙ、１３Ｍ、１３Ｃより上方には、露光装置としてのＬＥＤヘッド１５Ｂｋ、１５Ｙ、１５Ｍ、１５Ｃが感光体ドラム１３Ｂｋ、１３Ｙ、１３Ｍ、１３Ｃと対向させて配設され、各ＬＥＤヘッド１５Ｂｋ、１５Ｙ、１５Ｍ、１５Ｃは、各色の画像データに基づいて感光体ドラム１３Ｂｋ、１３Ｙ、１３Ｍ、１３Ｃを露光し、静電潜像を形成する。そして、前記画像形成ユニット１２Ｂｋ、１２Ｙ、１２Ｍ、１２Ｃにおける感光体ドラム１３Ｂｋ、１３Ｙ、１３Ｍ、１３Ｃより下方には、転写ユニットが配設される。該転写ユニットは、矢印ｅ方向に走行自在に配設された搬送部材としての搬送ベルト２１、及び該搬送ベルト２１を介して各感光体ドラム１３Ｂｋ、１３Ｙ、１３Ｍ、１３Ｃと対向させて配設され、用紙をトナーと逆の極性に帯電させ、各色のトナー像を用紙に転写する転写部材としての転写ローラ１７Ｂｋ、１７Ｙ、１７Ｍ、１７Ｃを備える。
【００１９】
前記プリンタ１１の下部には、搬送路に用紙を供給するための給紙機構が配設され、該給紙機構は、ホッピングローラ２２、レジストローラ２３、媒体収容部としての用紙収容カセット２４等を備える。該用紙収容カセット２４内の用紙は、ホッピングローラ２２によって一枚ずつ繰り出され、レジストローラ２３に送られる。続いて、用紙は、レジストローラ２３から前記搬送ベルト２１に送られ、該搬送ベルト２１が走行させられるのに伴って搬送され、各画像形成ユニット１２Ｂｋ、１２Ｙ、１２Ｍ、１２Ｃにおいて、転写ローラ１７Ｂｋ、１７Ｙ、１７Ｍ、１７Ｃによって各色のトナー像が用紙に転写され、カラーのトナー像が形成される。そして、カラーのトナー像が形成された用紙は、定着器２８に送られ、該定着器２８においてカラーのトナー像が用紙に定着されられ、カラー画像が形成される。
【００２０】
次に、前記構成の感光体ドラム１３Ｂｋ、１３Ｙ、１３Ｍ、１３ＣとＬＥＤヘッド１５Ｂｋ、１５Ｙ、１５Ｍ、１５Ｃとの関係について説明する。なお、各画像形成ユニット１２Ｂｋ、１２Ｙ、１２Ｍ、１２Ｃにおける感光体ドラム１３Ｂｋ、１３Ｙ、１３Ｍ、１３ＣとＬＥＤヘッド１５Ｂｋ、１５Ｙ、１５Ｍ、１５Ｃとの関係は、いずれも同じであるので、感光体ドラム１３ＢｋとＬＥＤヘッド１５Ｂｋとの関係についてだけ説明する。
【００２１】
図１は本発明の第１の実施の形態におけるＬＥＤヘッドの配設状態を示す縦断面図、図５は本発明の第１の実施の形態におけるＬＥＤヘッドの配設状態を示す横断面図である。
【００２２】
図において、１３Ｂｋは感光体ドラム、１５Ｂｋは感光体ドラム１３Ｂｋと対向させて配設されたＬＥＤヘッド、３１は感光体ドラム１３Ｂｋと対向させて配設され、複数の発光素子としてのＬＥＤから成る発光素子アレイとしてのＬＥＤアレイチップ、３２は該ＬＥＤアレイチップ３１と感光体ドラム１３Ｂｋとの間に配設され、収束性を有し、各ＬＥＤから放射される光を収束させる収束レンズとしてのロッドレンズアレイ、３３は複数のチップから成るＬＥＤアレイチップ３１、及び該ＬＥＤアレイチップ３１の制御を行うための図示されないドライバＩＣが搭載された基板、３４はロッドレンズアレイ３２及び基板３３を支持する支持部材としてのレンズアレイホルダであり、該レンズアレイホルダ３４は、アルミニウム材料を型に流し込んで製造されたダイカスト品である。
【００２３】
前記レンズアレイホルダ３４内には、下方から上方に貫通させて空間が形成され、該空間はロッドレンズアレイ３２を収容する第１の領域Ｒ１、該第１の領域Ｒ１の上方に、第１の領域Ｒ１と連通させて形成された第２の領域Ｒ２、及び該第２の領域Ｒ２の上方に、第２の領域Ｒ２と連通させて形成された第３の領域Ｒ３から成る。該第３の領域Ｒ３は、第２の領域Ｒ２より幅が広く、第２の領域Ｒ２の内周面には、二つの段差が形成され、該各段差の上面に基板当接面Ｓ１が形成される。
【００２４】
前記レンズアレイ３２は、第１の領域Ｒ１内に配設されて、レンズアレイホルダ３４に固着された後、光及び異物の進入を防止するために、レンズアレイホルダ３４との間隙がシリコン剤４１によって封止される。
【００２５】
また、３５は、レンズアレイホルダ３４内において、前記基板３３をレンズアレイホルダ３４の基板当接面Ｓ１に押し付けるための押圧部材としてのベースであり、弾性及び可撓性を有する材料、例えば、熱可塑性を有する樹脂によって形成される。該樹脂として、本実施の形態においては、ガラス繊維で強化したポリアミドから成る汎用エンジニアリングプラスチックが使用される。したがって、ベース３５の耐熱性、荷重撓み温度特性等を高くすることができ、長期間安定して弾性力を維持することができる。
【００２６】
ところで、前記感光体ドラム１３Ｂｋ上に正確に光を結像させるためには、ＬＥＤアレイチップ３１の表面と、レンズアレイ３２において光が入射される端面、すなわち、入射端面との間の距離（ＬＥＤアレイチップ３１とロッドレンズアレイ３２との間隔）をＬ１１とし、レンズアレイ３２において光が出射される端面、すなわち、出射端面と感光体ドラム１３Ｂｋの表面との間の距離（レンズアレイ３２と感光体ドラム１３Ｂｋとの間隔）をＬ１２としたとき、
Ｌ１１＝Ｌ１２
になるように距離Ｌ１２を調整する必要がある。
【００２７】
そのために、レンズアレイホルダ３４の長さ方向の端部付近に、調整機構としての偏心カム機構４２、４３が配設され、該各偏心カム機構４２、４３と、感光体ドラム１３Ｂｋの表面上に配設されたスペーサ３８ａ、３８ｂとがそれぞれ当接させられる。
【００２８】
なお、ベース３５の両端部には付勢部材としてのコイルばね３７が配設され、該各コイルばね３７は、ＬＥＤヘッド１５Ｂｋを感光体ドラム１３Ｂｋの方向に付勢し、スペーサ３８ａ、３８ｂの当接面に偏心カム機構４２、４３を当接させ、前記距離Ｌ１２を一定に保つ。なお、前記偏心カム機構４２、４３は、カム本体を回転させることによって、前記スペーサ３８ａ、３８ｂに対するレンズアレイホルダ３４の位置を調整する。
【００２９】
図６は本発明の第１の実施の形態のおけるＬＥＤヘッドの分解斜視図、図７は本発明の第１の実施の形態におけるＬＥＤヘッドの要部を示す分解斜視図、図８は本発明の第１の実施の形態におけるＬＥＤヘッドの分解断面図、図９は本発明の第１の実施の形態におけるベースの取付方法を示す斜視図、図１０は本発明の第１の実施の形態におけるレンズアレイホルダの要部を示す断面図である。
【００３０】
図に示されるように、ベース３５の幅方向の縁部（両縁）には、長さ方向における複数箇所に、第１の係止部としての、所定の形状の、本実施の形態においては、円弧状の突起部３５ａが、幅方向外方に向けて突出させて形成され、該突起部３５ａの下部には案内部としての面取り部３５ｃが形成され、前記突起部３５ａの幅方向内方には、幅Ｌ３のスリット３５ｂが、突起部３５ａの両側にわたって所定の長さで形成される。また、前記突起部３５ａの両側には、スリット３５ｂの外側に、付勢部としての、かつ、可撓部としての細いブリッジ部ａが形成される。突起部３５ａに両側から矢印Ｐａ方向に力が加わると、各ブリッジ部ａが幅方向の内方に向けて撓み、スリット３５ｂの幅Ｌ３が小さくされ、スリット３５ｂの両端面間が当接させられる。
【００３１】
そして、前記突起部３５ａの各先端間の距離Ｌ２はレンズアレイホルダ３４の内壁間の距離Ｌ１より大きく、
Ｌ２＞Ｌ１
にされる。また、各ブリッジ部ａを所定の量撓ませたときの前記突起部３５ａの各先端間の距離Ｌ２´は前記距離Ｌ１よりわずかに小さくされる。
【００３２】
そして、ベース３５をレンズアレイホルダ３４に対して組み付けるために、レンズアレイホルダ３４の内壁におけるベース３５に形成された各突起部３５ａと対応する位置に、第２の係止部としての、突起部３５ａと対応する形状の、本実施の形態においては、円弧状の溝３４ｂが形成され、該溝３４ｂは、突起部３５ａの円弧よりわずかに大きく設定され、溝３４ｂの各底部間の距離Ｌ６は、前記距離Ｌ２よりも大きく、
Ｌ６＞Ｌ２
にされる。
【００３３】
ところで、前記各基板当接面Ｓ１は前記溝３４ｂより下方に形成されるが、各基板当接面Ｓ１上に基板３３を載置したとき、基板３３の上面は溝３４ｂの下端より上方に位置させられる。そして、前記基板当接面Ｓ１上に基板３３を載置したとき、基板３３の上面から溝３４ｂの上端までの距離をＬ８とし、ベース３５の厚さをＬ４とすると、該厚さＬ４は距離Ｌ８よりわずかに小さく、
Ｌ４＜Ｌ８
にされる。
【００３４】
次に、ベース３５の組付け手順について説明する。
【００３５】
図１１は本発明の第１の実施の形態におけるベースの組付け手順を示す第１の図、図１２は本発明の第１の実施の形態におけるベースの組付け手順を示す第２の図、図１３は本発明の第１の実施の形態におけるベースの組付け手順を示す第３の図である。
【００３６】
ベース３５をレンズアレイホルダ３４の領域Ｒ３内に挿入する場合、まず、図１１に示されるように、前記突起部３５ａに形成された面取り部３５ｃをレンズアレイホルダ３４の内壁の上端のエッジ部３４ａに当接させ、ベース３５を下方に押し込むと、エッジ部３４ａが突起部３５ａに形成された面取り部３５ｃによって案内され、各ブリッジ部ａが、それ自体が有する付勢力に抗して撓み、突起部３５ａは内側に変位させられる。
【００３７】
そして、各突起部３５ａ間の距離Ｌ２はレンズアレイホルダ３４の内壁の幅Ｌ１よりわずかに小さいＬ２´（図９）となり、図１２に示されるように、突起部３５ａの先端をレンズアレイホルダ３４の内壁面に当接させながら下方に向けて移動させることができる。このとき、幅Ｌ３が小さくされ、Ｌ３´となる。
【００３８】
また、図１３に示されるように、ベース３５が基板３３に当接すると、突起部３５ａがブリッジ部ａの付勢力によって溝３４ｂ内に進入し、突起部３５ａの先端間の距離Ｌ２′はＬ２に復元される。このとき、突起部３５ａと溝３４ｂとが係止させられるので、レンズアレイホルダ３４からベース３５が外れることがなくなる。
【００３９】
このように、本実施の形態においては、ベース３５をレンズアレイホルダ３４に組み付けるに当たり、ブリッジ部ａの付勢力によって、突起部３５ａを溝３４ｂ内に進入させ、突起部３５ａと溝３４ｂとを係止させるようになっているので、クランプを使用する必要がない。したがって、クランプがレンズアレイホルダ３４の外側面より突出しないので、ＬＥＤヘッドを小型化することができる。
【００４０】
また、ベース３５によって基板３３を直接基板当接面Ｓ１（図８）に押し付けることができるので、基板３３をレンズアレイホルダ３４に組み付ける作業を簡素化することができる。
【００４１】
ところで、本実施の形態においては、前述されたように、感光体ドラム１３Ｂｋ上に正確に光を結像させるために、ＬＥＤアレイチップ３１の表面とレンズアレイ３２の入射端面との間の距離Ｌ１１と、レンズアレイ３２の出射端面と感光体ドラムＢｋの表面との間の距離Ｌ１２とを等しくする必要がある。この場合、該距離Ｌ１２は、偏心カム機構４２、４３によって調整することができるので、前記距離Ｌ１１を常に一定に保つのが好ましい。
【００４２】
ところが、本実施の形態においては、レンズアレイホルダ３４の溝３４ｂの上端の位置、ベース３５の厚さＬ４等にばらつきがあると、基板３３を基板当接面Ｓ１に安定させて押し付けることができない。
【００４３】
そこで、基板３３を基板当接面Ｓ１に安定させて押し付けることができるようにした本発明の第２の実施の形態について説明する。なお、第１の実施の形態と同じ構造を有するものについては、同じ符号を付与し、同じ構造を有することによる発明の効果については同実施の形態の効果を援用する。
【００４４】
図１４は本発明の第２の実施の形態におけるベースの要部を示す斜視図、図１５は本発明の第２の実施の形態におけるベースの断面図、図１６は本発明の第２の実施の形態におけるベースの組付け手順を示す第１の図、図１７は本発明の第２の実施の形態におけるベースの組付け手順を示す第２の図、図１８は本発明の第２の実施の形態におけるベースの組付け手順を示す第３の図である。
【００４５】
図に示されるように、押圧部材としてのベース３５の幅方向の端部（両縁）には、長さ方向における複数箇所に、第１の係止部としての、所定の形状の、本実施の形態においては、円弧状の突起部３５ａが、幅方向外方に向けて突出させて形成され、該突起部３５ａの下部には案内部としての面取り部３５ｃが形成され、前記突起部３５ａの幅方向内方には、幅Ｌ３のスリット３５ｂが、前記突起部３５ａの両側にわたって所定の長さで形成される。したがって、突起部３５ａの両側には、スリット３５ｂの外側に、付勢部としての、かつ、可撓部としての細いブリッジ部ａが形成される。突起部３５ａに両側から矢印Ｐａ方向に力が加わると、各ブリッジ部ａが幅方向の内方に向けて撓み、スリット３５ｂの幅Ｌ３が小さくされ、スリット３５ｂの両端面間が当接させられる。
【００４６】
そして、前記突起部３５ａの各先端間の距離Ｌ２は支持部材としてのレンズアレイホルダ３４の内壁間の距離Ｌ１より大きく、
Ｌ２＞Ｌ１
にされる。また、各ブリッジ部ａを所定の量撓ませたときの前記突起部３５ａの各先端間の距離Ｌ２´は前記距離Ｌ１よりわずかに小さくされる。
【００４７】
そして、前記ブリッジ部ａの下端部には、ブリッジ部ａ及びスリット３５ｂとほぼ等しい長さの切欠ｂがブリッジ部ａに沿って（各点Ｐｃ間にわたり）形成され、ブリッジ部ａの下面とベース３５の下面との距離はＬ７とされる。突起部３５ａに上方から矢印Ｐｂ方向に力が加わると、各ブリッジ部ａが下方に向けて撓み、距離Ｌ７が短くされ、ブリッジ部ａの下面とベース３５の下面とが接触させられる。
【００４８】
そして、ベース３５をレンズアレイホルダ３４に対して組み付けるために、レンズアレイホルダ３４の内壁におけるベース３５に形成された各突起部３５ａと対応する位置に、第２の係止部としての、突起部３５ａと対応する形状の、本実施の形態においては、円弧状の溝３４ｂ（図１０）が形成され、該溝３４ｂは、突起部３５ａの円弧よりもわずかに大きく設定され、溝３４ｂの各底部間の距離Ｌ６は、前記距離Ｌ２よりも大きく、
Ｌ６＞Ｌ２
にされる。
【００４９】
ところで、前記各基板当接面Ｓ１は前記溝３４ｂより下方に形成されるが、基板当接面Ｓ１上に基板３３を載置したとき、基板３３の上面は溝３４ｂの下端より上方に位置させられる。そして、前記基板当接面Ｓ１上に基板３３を載置したとき、基板３３の上面から溝３４ｂの上端までの距離をＬ８とし、ベース３５の厚さをＬ４とすると、該厚さＬ４は距離Ｌ８よりわずかに大きく、
Ｌ４＞Ｌ８
にされる。
【００５０】
次に、ベース３５の組付け手順について説明する。
【００５１】
ベース３５をレンズアレイホルダ３４の領域Ｒ３内に挿入する場合、まず、図１６に示されるように、前記突起部３５ａに形成された面取り部３５ｃをレンズアレイホルダ３４の内壁の上端のエッジ部３４ａに当接させ、ベース３５を下方に押し込むと、エッジ部３４ａが突起部３５ａに形成された面取り部３５ｃによって案内され、各ブリッジ部ａが、それ自体が有する付勢力に抗して撓み、突起部３５ａは内側に変位させられる。
【００５２】
そして、突起部３５ａ間の距離Ｌ２はレンズアレイホルダ３４の内壁の幅Ｌ１よりわずかに小さいＬ２´となり、図１７に示されるように、突起部３５ａの先端をレンズアレイホルダ３４の内壁面に当接させながら下方に向けて移動させることができる。このとき、幅Ｌ３が小さくされ、Ｌ３´となる。
【００５３】
また、図１８に示されるように、ベース３５が基板３３に当接すると、ベース３５はその箇所で停止させられるが、前記突起部３５ａを更に下方に押し下げると、ブリッジ部ａは下方に撓み、続いて、突起部３５ａがブリッジ部ａの付勢力によって溝３４ｂ内に進入し、突起部３５ａの各先端間の距離Ｌ２′はＬ２に復元される。このとき、突起部３５ａと溝３４ｂとが係止させられるので、レンズアレイホルダ３４からベース３５が外れることがなくなる。
【００５４】
このとき、ブリッジ部ａが下方に撓んだ距離をＬ９とし、ベース３５の下面からブリッジ部ａの上面までの距離をＬ４´とし、ベース３５の厚さをＬ４（図１５）とすると、
Ｌ４´＝Ｌ４−Ｌ９
＜Ｌ８
となる。
【００５５】
この場合、ブリッジ部ａは前記付勢力によって元の形状に戻ろうとするので、ベース３５は押圧力を発生させ、基板３３を基板当接面Ｓ１に常に一定の前記押圧力で押し付ける。
【００５６】
このように、本実施の形態においては、ベース３５をレンズアレイホルダ３４に組み付けるに当たり、前記ブリッジ部ａを下方に撓ませた状態で、突起部３５ａと溝３４ｂとを係止させることができる。したがって、基板３３を基板当接面Ｓ１に安定させて押し付けることができる。
【００５７】
前記各実施の形態においては、画像形成装置としてのプリンタに適用した例について説明したが、本発明を、複写機、ファクシミリ装置、複合機等に適用することができる。
【００５８】
なお、本発明は前記各実施の形態に限定されるものではなく、本発明の趣旨に基づいて種々変形させることが可能であり、それらを本発明の範囲から排除するものではない。
【図面の簡単な説明】
【００５９】
【図１】本発明の第１の実施の形態におけるＬＥＤヘッドの配設状態を示す縦断面図である。
【図２】従来のＬＥＤヘッドの斜視図である。
【図３】従来のＬＥＤヘッドの配設状態を示す断面図である。
【図４】本発明の第１の実施の形態におけるプリンタの概略図である。
【図５】本発明の第１の実施の形態におけるＬＥＤヘッドの配設状態を示す横断面図である。
【図６】本発明の第１の実施の形態のおけるＬＥＤヘッドの分解斜視図である。
【図７】本発明の第１の実施の形態におけるＬＥＤヘッドの要部を示す分解斜視図である。
【図８】本発明の第１の実施の形態におけるＬＥＤヘッドの分解断面図である。
【図９】本発明の第１の実施の形態におけるベースの取付方法を示す斜視図である。
【図１０】本発明の第１の実施の形態におけるレンズアレイホルダの要部を示す断面図である。
【図１１】本発明の第１の実施の形態におけるベースの組付け手順を示す第１の図である。
【図１２】本発明の第１の実施の形態におけるベースの組付け手順を示す第２の図である。
【図１３】本発明の第１の実施の形態におけるベースの組付け手順を示す第３の図である。
【図１４】本発明の第２の実施の形態におけるベースの要部を示す斜視図である。
【図１５】本発明の第２の実施の形態におけるベースの断面図である。
【図１６】本発明の第２の実施の形態におけるベースの組付け手順を示す第１の図である。
【図１７】本発明の第２の実施の形態におけるベースの組付け手順を示す第２の図である。
【図１８】本発明の第２の実施の形態におけるベースの組付け手順を示す第３の図である。
【符号の説明】
【００６０】
１５Ｂｋ、１５Ｙ、１５Ｍ、１５Ｃ    ＬＥＤヘッド
３１    ＬＥＤアレイチップ
３２    ロッドレンズアレイ
３３    基板
３４    レンズアレイホルダ
３５    ベース
Ｓ１    基板当接面
【図１】
0004450848.tif 000002
【図２】
0004450848.tif 000003
【図３】
0004450848.tif 000004
【図４】
0004450848.tif 000005
【図５】
0004450848.tif 000006
【図６】
0004450848.tif 000007
【図７】
0004450848.tif 000008
【図８】
0004450848.tif 000009
【図９】
0004450848.tif 000010
【図１０】
0004450848.tif 000011
【図１１】
0004450848.tif 000012
【図１２】
0004450848.tif 000013
【図１３】
0004450848.tif 000014
【図１４】
0004450848.tif 000015
【図１５】
0004450848.tif 000016
【図１６】
0004450848.tif 000017
【図１７】
0004450848.tif 000018
【図１８】
0004450848.tif 000019